【手続補正書】
【提出日】平成28年9月2日(2016.9.2)
【手続補正１】
【補正対象書類名】明細書
【補正対象項目名】発明の名称
【補正方法】変更
【補正の内容】
【発明の名称】印面製版装置、印面材寸法検出方法および媒体ホルダ
【手続補正２】
【補正対象書類名】明細書
【補正対象項目名】０００１
【補正方法】変更
【補正の内容】
【０００１】
本発明は、適正な製版を行うために、印面製版装置に挿入された媒体ホルダ、それに保持されている印面材のサイズを正しく検出する印面製版装置及びその印面材寸法検出方法に関する。
【手続補正３】
【補正対象書類名】明細書
【補正対象項目名】０００９
【補正方法】変更
【補正の内容】
【０００９】
本発明は、上記従来の課題を解決するものであって、適正な製版を行うために、印面製版装置に挿入された媒体ホルダに保持されている印面材のサイズを正しく検出する印面製版装置、その印面材寸法検出方法、媒体ホルダを提供することを目的とする。
【手続補正４】
【補正対象書類名】明細書
【補正対象項目名】００１０
【補正方法】変更
【補正の内容】
【００１０】
上記課題を解決するために、本発明の印面製版装置は、製版挿入部と、印面材を保持し側端部に切欠部を有する媒体ホルダが前記製版挿入部に挿入された際に、前記媒体ホルダの挿入方向の検知走査線上先端部と前記切欠部の切欠一端部と前記切欠部の切欠他端部との内の何れか２端部の位置を検出する切欠部検出手段と、前記切欠部検出手段により検出された前記検知走査線上先端部と前記切欠一端部と前記切欠他端部との内の何れか２端部の位置に基づいて、前記印面材の挿入方向の寸法と挿入方向に直交する方向の寸法の少なくとも一方の寸法を設定する寸法設定手段と、を有することを特徴とする。
また、上記課題を解決するために、本発明の印面材寸法検出方法は、印面材を保持し側端部に切欠部を有する媒体ホルダの、挿入方向の検知走査線上先端部と前記切欠部の切欠一端部と前記切欠部の切欠他端部とのうちの何れか２端部の位置を検出する切欠部検出工程と、前記切欠部検出工程により検出された前記検知走査線上先端部と前記切欠一端部と前記切欠他端部との内の何れか２端部の位置に基づいて、前記印面材の挿入方向の寸法と挿入方向に直交する方向の寸法の少なくとも一方の寸法を設定する寸法設定工程と、を含むことを特徴とする。
【手続補正５】
【補正対象書類名】明細書
【補正対象項目名】００１１
【補正方法】変更
【補正の内容】
【００１１】
さらにまた、上記課題を解決するために、本発明の媒体ホルダは、印面製版装置により印面が形成される印面材を保持する媒体ホルダであって、インクが含浸可能な多孔質のスポンジ体からなる前記印面材を着脱可能に保持し、第１側端部に前記印面材の大きさと対応する切欠部が形成され、前記第１側端部と異なる第２側端部に前記印面製版装置への挿入方向を示す他の側端部と異なる形状が形成された保持体を有することを特徴とする。
【手続補正６】
【補正対象書類名】明細書
【補正対象項目名】００１２
【補正方法】変更
【補正の内容】
【００１２】
本発明は、簡単な構成の印面製版装置と簡便な構造の媒体ホルダとを用い、印面製版装置に挿入された媒体ホルダに保持されている印面材の寸法を検出して適正な製版を行う印面製版装置、印面材寸法検出方法、媒体ホルダを提供することができる。
【手続補正７】
【補正対象書類名】特許請求の範囲
【補正対象項目名】全文
【補正方法】変更
【補正の内容】
【特許請求の範囲】
【請求項１】
製版挿入部と、
印面材を保持し側端部に切欠部を有する媒体ホルダが前記製版挿入部に挿入された際に、前記媒体ホルダの挿入方向の検知走査線上先端部と前記切欠部の切欠一端部と前記切欠部の切欠他端部との内の何れか２端部の位置を検出する切欠部検出手段と、
前記切欠部検出手段により検出された前記検知走査線上先端部と前記切欠一端部と前記切欠他端部との内の何れか２端部の位置に基づいて、前記印面材の挿入方向の寸法と挿入方向に直交する方向の寸法の少なくとも一方の寸法を設定する寸法設定手段と、
を有することを特徴とする印面製版装置。
【請求項２】
制御部と、
製版用画像を記憶する記憶部と、を有し、
前記制御部は、
前記製版用画像を前記記憶部から読み出し、該製版用画像の寸法が前記寸法設定手段により設定された前記印面材の寸法と同一寸法かどうかを判定する寸法判定手段を有し、
前記寸法判定手段による判定の結果が同一寸法の場合、前記印面材に対する印面製版を実行し、前記寸法判定手段による判定の結果が同一寸法ではない場合、前記印面材に対する印面製版を実行せずに寸法不一致であることを報知する、
ことを特徴とする請求項１記載の印面製版装置。
【請求項３】
前記寸法設定手段は、前記切欠部検出手段により検出された前記検知走査線上先端部と前記切欠一端部と前記切欠他端部との内の何れか２端部の位置に基づく予め決められた対応表により設定することを特徴とする請求項１または２記載の印面製版装置。
【請求項４】
前記切欠部検出手段により検出された前記切欠他端部の位置に基づいて前記印面材に対する印面製版を開始する製版開始手段を更に有する、ことを特徴とする請求項１乃至３のいずれか記載の印面製版装置。
【請求項５】
前記媒体ホルダの前記側端部に対応する位置に光学センサが配置されていることを特徴とする請求項１乃至４のいずれか記載の印面製版装置。
【請求項６】
印面材を保持し側端部に切欠部を有する媒体ホルダの、挿入方向の検知走査線上先端部と前記切欠部の切欠一端部と前記切欠部の切欠他端部とのうちの何れか２端部の位置を検出する切欠部検出工程と、
前記切欠部検出工程により検出された前記検知走査線上先端部と前記切欠一端部と前記切欠他端部との内の何れか２端部の位置に基づいて、前記印面材の挿入方向の寸法と挿入方向に直交する方向の寸法の少なくとも一方の寸法を設定する寸法設定工程と、
を含むことを特徴とする印面材寸法検出方法。
【請求項７】
製版用画像を記憶部から読み出し、該製版用画像の寸法が前記寸法設定工程により設定された前記印面材の寸法と同一寸法かどうかを判定する寸法判定工程と、
前記寸法判定工程による判定の結果が同一寸法の場合、前記印面材に対する印面製版を実行する印面製版実行工程と、
前記寸法判定工程による判定の結果が同一寸法ではない場合、前記印面材に対する印面製版を実行せずに寸法不一致であることを報知する寸法不一致報知工程と、
を含むことを特徴とする請求項６記載の印面材寸法検出方法。
【請求項８】
前記寸法設定工程は、前記切欠部検出工程により検出された前記検知走査線上先端部と前記切欠一端部と前記切欠他端部との内の何れか２端部の位置に基づく予め決められた対応表により設定することを特徴とする請求項６または７記載の印面材寸法検出方法。
【請求項９】
前記切欠部検出工程により検出された前記切欠他端部の位置に基づいて前記印面材に対する印面製版を開始する製版開始工程を更に含む、ことを特徴とする請求項６乃至８のいずれか記載の印面材寸法検出方法。
【請求項１０】
前記媒体ホルダの前記側端部に対応する位置に光学センサが配置されており、当該光学センサにより前記媒体ホルダの形状の検出を行うことを特徴とする請求項６乃至９のいずれか記載の印面材寸法検出方法。
【請求項１１】
印面製版装置により印面が形成される印面材を保持する媒体ホルダであって、
インクが含浸可能な多孔質のスポンジ体からなる前記印面材を着脱可能に保持し、第１側端部に前記印面材の大きさと対応する切欠部が形成され、前記第１側端部と異なる第２側端部に前記印面製版装置への挿入方向を示す他の側端部と異なる形状が形成された保持体を有することを特徴とする媒体ホルダ。
【請求項１２】
前記保持体は、前記印面材を位置固定する位置決め凹部を有することを特徴とする請求項１１記載の媒体ホルダ。
【請求項１３】
前記保持体は、少なくとも１枚の板状体で構成されていることを特徴とする請求項１１または１２記載の媒体ホルダ。
【請求項１４】
前記切欠部は、前記切欠部の位置または／および大きさを変更可能とする複数の切り取り線のうちの任意の線に沿って切り取られることによって形成された部位であることを特徴とする請求項１１乃至１３のいずれか記載の媒体ホルダ。
【請求項１５】
前記切欠部は、抜き差し可能な複数の部材からなり、位置または／および大きさを変更可能であることを特徴とする請求項１１乃至１３のいずれか記載の媒体ホルダ。
【請求項１６】
前記保持体に保持された前記印面材は、少なくとも一部がフィルムにより被覆されていることを特徴とする請求項１１乃至１５のいずれか記載の媒体ホルダ。
【請求項１７】
前記他の側端部と異なる形状は、前記保持体の前記印面製版装置への挿入方向前端部の中心を頂点に山状になるような形状であることを特徴とする請求項１１乃至１６のいずれか記載の媒体ホルダ。